(57)【要約】【課題】接続端子同士が離れた位置に形成する点を解決すること、コイルの両端を接続する接続端子の位置を近接して配置すること点を解決することを可能にする。【解決手段】磁性体で形成する略Ｕ字状のヨーク１１と、この略Ｕ字状のヨーク１１の二股部２２，２２にボビンを介して連続的に巻くとともに並列配置した第１・第２のコイル１５，１６と、略Ｕ字状のヨーク１１に取付けた永久磁石１７と、ヨーク１１の二股部２２，２２に吸着可能に取付けるとともにヨーク１１の二股部２２，２２に開放可能に取付ける磁性体の可動片１８と、この可動片１８を開放する方向に付勢する付勢手段１９と、から構成し、第１・第２のコイル１５，１６を励磁したときに可動片を吸着状態から開放状態に移行させる小型自己保持型ソレノイドであって、第１・第２のコイル１５，１６の一方側に、第１・第２のコイル１５，１６の両端を接続する接続端子２７，２８を配置した。【選択図】図１
2007287748.tif 000002
【特許請求の範囲】
【請求項１】
磁性体で形成する略Ｕ字状のヨークと、この略Ｕ字状のヨークの二股部にボビンを介して連続的に巻くとともに並列配置した第１・第２のコイルと、略Ｕ字状のヨークに取付けた永久磁石と、ヨークの二股部に吸着可能に取付けるとともにヨークの二股部に開放可能に取付ける磁性体の可動片と、この可動片を開放する方向に付勢する付勢手段と、から構成し、前記第１・第２のコイルを励磁したときに可動片を吸着状態から開放状態に移行させる小型自己保持型ソレノイドであって、
前記第１・第２のコイルの一方側に、第１・第２のコイルの両端を接続する接続端子を配置したことを特徴とする小型自己保持型ソレノイド。
【請求項２】
前記ボビンは、前記第１のコイルを巻回する第１の巻線部と、前記第２のコイルを巻回する第２の巻線部と、これらの第１・第２の巻線部を折曲げ可能に繋いだヒンジ部と、第１・第２の巻線部の一方に形成した２個の接続端子と、を備えたことを特徴とする請求項１記載の小型自己保持型ソレノイド。
【発明の詳細な説明】
【技術分野】
【０００１】
本発明は、光ディスクドライブ等のトレーのロック／イジェクトなどに使用される小型自己保持型ソレノイドの改良に関するものである。
【背景技術】
【０００２】
小型自己保持型ソレノイドとして、ヨーク（固定鉄心）にボビンを介してコイルを巻き、ヨークにマグネットを取付け、ヨークに可動片をスライド可能に取付け、この可動片にバックテンションを与え、コイルに励磁したときに可動片を吸着状態から開放状態に移行させるものが実用に供されている。
実用の小型自己保持型ソレノイドは、例えば、コイルの両端に電源を供給する接続端子をボビンに設けるようにすれば実用上十分であった。
【０００３】
このような小型自己保持型ソレノイドとして、コイルに励磁するたびに可動片がバックテンションの力でヨークから離れるコンパクトに形成されたものが知られている（例えば、特許文献１参照。）。
【特許文献１】特開２００５−１５９２３７号公報（第９頁、図１）
【０００４】
特許文献１の技術を説明する。
図９は従来の基本構成を説明する図であり、小型自己保持型ソレノイド２００は、磁性体で形成する略Ｕ字状のヨーク２０１と、この略Ｕ字状のヨーク２０１の二股部２０２，０２にボビン２０３を介して連続的に巻くとともに並列配置した第１・第２のコイル２０４，２０５と、略Ｕ字状のヨーク２０１の根元部２０６に取付けた永久磁石２０７と、ヨーク２０１の二股部２０２，２０２に吸着可能に取付けるとともにヨーク２０１の二股部２０２，２０２に開放可能に取付ける磁性体の可動片２０８と、この可動片２０８を開放する方向に付勢する付勢手段２０９と、からなる。
【０００５】
図中、２１１は可動片２０８の孔２１６に嵌合させる付勢手段２０９のピン状部材、２１３は付勢手段２０９の引張りばね、２１４は引張りばね２１３を支持する支持部、２１４，２１５は第１・第２のコイル２０４，２０５の接続端子である。
【０００６】
このような小型自己保持型ソレノイド２００では、第１・第２のコイル２０４，２０５巻線作業上第１・第２のコイル２０４，２０５の巻線の形成が行い易い位置に第１・第２のコイル２０４，２０５の両端を接続する接続端子２１４，２１５を設けることが一般的であった。すなわち、連続的に巻線を施した２個のコイル２０４，２０５を並列に配置する小型自己保持型ソレノイドにおいては、一方のコイル２０４側に一方の接続端子２１４設け、他方のコイル２０５側に他方の接続端子２１５を設けるというものであった。
しかし、接続端子同士が離れた位置にある小型自己保持型ソレノイドを基板にマウントする場合に、基板設計においては、例えば、配線パターン引回しに制約を課すことや、配線パターン引回しによって基板の性能の劣化を伴うことがあった。
【０００７】
すなわち、連続的に巻線を施した２個のコイルを並列に配置する小型自己保持型ソレノイドにおいて、コイルの両端を接続する接続端子の位置を近接して配置することができる小型自己保持型ソレノイドが望まれる。
【発明の開示】
【発明が解決しようとする課題】
【０００８】
本発明は、連続的に巻線を施した２個のコイルを並列に配置する小型自己保持型ソレノイドにおいて、接続端子同士が離れた位置に形成する点を解決し、コイルの両端を接続する接続端子の位置を近接して配置することができる小型自己保持型ソレノイドを提供することを課題とする。
【課題を解決するための手段】
【０００９】
請求項１に係る発明は、磁性体で形成する略Ｕ字状のヨークと、この略Ｕ字状のヨークの二股部にボビンを介して連続的に巻くとともに並列配置した第１・第２のコイルと、略Ｕ字状のヨークに取付けた永久磁石と、ヨークの二股部に吸着可能に取付けるとともにヨークの二股部に開放可能に取付ける磁性体の可動片と、この可動片を開放する方向に付勢する付勢手段と、から構成し、第１・第２のコイルを励磁したときに可動片を吸着状態から開放状態に移行させる小型自己保持型ソレノイドであって、第１・第２のコイルの一方側に、第１・第２のコイルの両端を接続する接続端子を配置したことを特徴とする。
【００１０】
請求項２に係る発明は、ボビンに、第１のコイルを巻回する第１の巻線部と、第２のコイルを巻回する第２の巻線部と、これらの第１・第２の巻線部を折曲げ可能に繋いだヒンジ部と、第１・第２の巻線部の一方に形成した２個の接続端子と、を備えたことを特徴とする。
【発明の効果】
【００１１】
請求項１に係る発明では、第１・第２のコイルの一方側に、第１・第２のコイルの両端を接続する接続端子を配置したので、例えば、配線パターン引回しに制約を課すことや、配線パターン引回しによって基板の性能の劣化を伴うことなどを回避することができる。この結果、小型自己保持型ソレノイドの汎用性の拡大を図ることができるという利点がある。
【００１２】
請求項２に係る発明では、ボビンに、第１のコイルを巻回する第１の巻線部と、第２のコイルを巻回する第２の巻線部と、これらの第１・第２の巻線部を折曲げ可能に繋いだヒンジ部と、を備えることで、例えば、第１・第２の巻線部を直列にして第１・第２のコイルを形成し、これらの第１・第２のコイルを形成後にヒンジ部から折曲げて最終形状にすることができる。この結果、自己保持型ソレノイドの生産性の向上を図ることができるという利点がある。
【発明を実施するための最良の形態】
【００１３】
本発明を実施するための最良の形態を添付図に基づいて以下に説明する。なお、図面は符号の向きに見るものとする。
図１は本発明に係る小型自己保持型ソレノイドの分解斜視図であり小型自己保持型ソレノイド１０は、磁性体で形成する略Ｕ字状のヨーク１１と、この略Ｕ字状のヨーク１１の二股部２２，２２（図２参照）にボビン１４を介して連続的に巻くとともに並列配置したコイルとしての第１・第２のコイル１５，１６と、略Ｕ字状のヨーク１１の根元部２１に取付けた永久磁石１７と、ヨーク１１の二股部２２，２２に吸着可能に取付けるとともにヨーク１１の二股部２２，２２に開放可能に取付ける磁性体の可動片１８と、この可動片１６を開放する方向に付勢する付勢手段１９（図５参照）と、からなる。
【００１４】
図２は本発明に係る小型自己保持型ソレノイドの平面図であり、図３は本発明に係る小型自己保持型ソレノイドの側面図である。
ヨーク１１は、板材の磁性体にて形成する部材であり、根元部２１と、この根元部２１から二股状に延出した二股部２２，２２と、根元部２１に形成することで永久磁石１７を取付ける取付孔２３と、根元部２１に形成した止め孔２４ａ，２４ｂとからなる。
【００１５】
ボビン１４は、第１のコイル１５を巻回する第１の巻線部２５と、第２のコイル１６を巻回する第２の巻線部２６と、これらの第１・第２の巻線部２５，２６を折曲げ可能に繋いだヒンジ部２９と、第１の巻線部２５側に形成した接続端子としての第１・第２の接続端子２７，２８と、これらの接続端子２７，２８をマウントするために第１の巻線部２５側に形成した一方側基部４３と、第２の巻線部２６側に形成した他方側基部４４と、からなる。
【００１６】
第１・第２のコイル１５，１６は、電気的に直列に接続された連続的なコイルである。
永久磁石１７は、直方体を呈し、希土類にて形成したものである。
可動片１８は、板材の磁性体にて形成する部材であり、基部３１と、この基部３１から延出することでヨーク１１の二股部２２，２２にそれぞれ吸着させる吸着部３２，３２と、基部３１に形成することで付勢手段１９に嵌合させる嵌合孔３３と、この嵌合孔３３の端面３３ａに形成した凸部３４と、からなる。
【００１７】
図４（ａ）〜（ｂ）は本発明に係る小型自己保持型ソレノイドの可動片の嵌合孔の断面図である。
（ａ）において、実施例の可動片１８に形成した嵌合孔３３の凸部３４を示し、凸部３４を、プレス成形機を用いて曲線状に形成するものである。
（ｂ）において、別実施例の可動片５１に形成した嵌合孔５２の凸部５３を示し。凸部５３を比較的大きな曲線に形成したものである。
（ｃ）において、さらなる別実施例の可動片５４に形成した嵌合孔５５の凸部５６を示し。凸部５６を略三角形に形成したものである。
【００１８】
図５は本発明に係る小型自己保持型ソレノイドの実装状態を示す平面図であり、付勢手段１９は、略Ｌ字状に形成したピン状部材３７と、このピン状部材３７に取付けた引張りばね３８と、この引張りばね３８を支持する支持部３９と、からなる。４１は嵌合孔３３の凸部３４に嵌合させる嵌合部を示す。図中、６１は小型自己保持型ソレノイド１０を止める止めねじ、６２は第１・第２のコイル１５，１６を励磁する電源、６３は電源をＯＮ／ＯＦＦするスイッチを示す。
【００１９】
小型自己保持型ソレノイド１０は、磁性体で形成する略Ｕ字状のヨーク１１と、この略Ｕ字状のヨーク１１の二股部２２，２２にボビンを介して連続的に巻くとともに並列配置した第１・第２のコイル１５，１６と、略Ｕ字状のヨーク１１に取付けた永久磁石１７と、ヨーク１１の二股部２２，２２に吸着可能に取付けるとともにヨーク１１の二股部２２，２２に開放可能に取付ける磁性体の可動片１８と、この可動片１８を開放する方向に付勢する付勢手段１９と、から構成し、第１・第２のコイル１５，１６を励磁したときに可動片を吸着状態から開放状態に移行させる小型自己保持型ソレノイドであって、第１・第２のコイル１５，１６の一方側に、第１・第２のコイル１５，１６の両端を接続する接続端子２７，２８を配置したものと言える。
【００２０】
例えば、連続的に巻線を施した２個のコイルを並列に配置する小型自己保持型ソレノイドにおいて、コイルの両端を接続する接続端子の位置を近接して配置することができれば、例えば、配線パターン引回しに制約を課すことや、配線パターン引回しによって基板の性能の劣化を伴うことなどを回避することができるので好ましいことである。
【００２１】
そこで、第１・第２のコイル１５，１６の一方側に、第１・第２のコイル１５，１６の両端を接続する接続端子２７，２８を配置することで、例えば、配線パターン引回しに制約を課すことや、配線パターン引回しによって基板の性能の劣化を伴うことなどを回避することができる。この結果、小型自己保持型ソレノイド１０の汎用性の拡大を図ることができる。
【００２２】
図７（ａ），（ｂ）は本発明に係る小型自己保持型ソレノイドの第１・第２のコイル及びボビンの巻線を施すときの姿を示す説明図であり、（ａ）は第１・第２のコイル１５，１６及びボビン１４の側面を示し、（ｂ）は第１・第２のコイル１５，１６及びボビン１４の平面を示す。
第１・第２のコイル１５，１６は、ボビン１４の第１・第２の巻線部２５，２６を直列状態に列べ、巻線を施した後にヒンジ部２９を折曲げて図２に示すように並列状態に列べるものである。
【００２３】
小型自己保持型ソレノイド１０は、ボビン１４に、第１のコイル１５を巻回する第１の巻線部２５と、第２のコイル１６を巻回する第２の巻線部２６と、これらの第１・第２の巻線部２５，２６を折曲げ可能に繋いだヒンジ部２９と、第１・第２の巻線部２５，２６の一方に形成した２個の接続端子（第１・第２の接続端子）２７，２８と、を備えたものと言える。
【００２４】
ボビン１４に、第１のコイル１５を巻回する第１の巻線部２５と、第２のコイル１６を巻回する第２の巻線部２６と、これらの第１・第２の巻線部２５，２６を折曲げ可能に繋いだヒンジ部２９と、第１・第２の巻線部２５，２６の一方に形成した２個の接続端子（第１・第２の接続端子）２７，２８と、を備えることで、例えば、第１・第２の巻線部２５，２６を直列にして第１・第２のコイル１５，１６を形成し、これらの第１・第２のコイル１５，１６を形成後にヒンジ部２９から折曲げて最終形状にすることができる。この結果、自己保持型ソレノイド１０（図１参照）の生産性の向上を図ることができる。
【００２５】
図８（ａ）〜（ｃ）は本発明に係る小型自己保持型ソレノイドの第１・第２のコイル及びボビンの加工手順を示す説明図である。
（ａ）において、第１の巻線部２５と第２の巻線部２６とを直列に配置し、これらの第１・第２の巻線部２５，２６に第１・第２のコイル１５，１６を連続的に形成する。
（ｂ）において、ヒンジ部２９を折曲げることで、第２の巻線部２６及び第２のコイル１６を矢印ｋ１の如く回転させる。
（ｃ）において、第１のコイル１５に第２のコイル１６を並列に配置する。
【００２６】
小型自己保持型ソレノイドの製造方法は、図２に示すように、磁性体で形成する略Ｕ字状のヨーク１１と、この略Ｕ字状のヨーク１１の二股部２２，２２にボビンを介して連続的に巻くとともに並列配置した第１・第２のコイル１５，１６と、略Ｕ字状のヨーク１１に取付けた永久磁石１７と、ヨーク１１の二股部２２，２２に吸着可能に取付けるとともにヨーク１１の二股部２２，２２に開放可能に取付ける磁性体の可動片１８と、この可動片１８を開放する方向に付勢する付勢手段１９と、から構成し、第１・第２のコイル１５，１６を励磁したときに可動片を吸着状態から開放状態に移行させる小型自己保持型ソレノイドにおいて、第１の巻線部２５と第２の巻線部２６とを直列に配置する工程と、これらの第１・第２の巻線部２５，２６に第１・第２のコイル１５，１６を連続的に形成する工程と、第１・第２の巻線部２５，２６を折曲げることで第１・第２のコイル１５，１６を並列配置する工程と、から構成したものと言える。
【００２７】
第１の巻線部２５と第２の巻線部２６とを直列に配置する工程と、これらの第１・第２の巻線部２５，２６に第１・第２のコイル１５，１６を連続的に形成する工程と、第１・第２の巻線部２５，２６を折曲げることで第１・第２のコイル１５，１６を並列配置する工程と、を備えることで、第１・第２の巻線部２５，２６を直列にして第１・第２のコイル１５，１６を形成し、これらの第１・第２のコイル１５，１６を形成後に折曲げて最終形状にすることができる。この結果、自己保持型ソレノイド１０の生産性の向上を図ることができる。
【００２８】
尚、本発明に係る小型自己保持型ソレノイドは、図２に示すように、第１のコイル１５側に、第１・第２のコイル１５，１６の両端を接続する接続端子２７，２８を配置したが、これに限るものではなく、第２のコイル１６側に接続端子２７，２８を配置したものであってもよい。
また、本発明に係る小型自己保持型ソレノイドは、図１に示すように、接続端子２７，２８を小型自己保持型ソレノイド１０の側方に突出させたが、これに限るものではなく、小型自己保持型ソレノイド１０の下方若しくは上方に突出させるものであってもよい。
【産業上の利用可能性】
【００２９】
本発明に係る小型自己保持型ソレノイドは、光ディスクドライブや携帯電話などの小型電子機器に採用するのに好適である。
【図面の簡単な説明】
【００３０】
【図１】本発明に係る小型自己保持型ソレノイドの分解斜視図である。
【図２】本発明に係る小型自己保持型ソレノイドの平面図である。
【図３】本発明に係る小型自己保持型ソレノイドの側面図である。
【図４】本発明に係る小型自己保持型ソレノイドの可動片の嵌合孔の断面図である。
【図５】本発明に係る小型自己保持型ソレノイドの実装状態を示す平面図である。
【図６】本発明に係る小型自己保持型ソレノイドの実装状態を示す側面図である。
【図７】本発明に係る小型自己保持型ソレノイドの第１・第２のコイル及びボビンの巻線を施すときの姿を示す説明図である。
【図８】本発明に係る小型自己保持型ソレノイドの第１・第２のコイル及びボビンの加工手順を示す説明図である。
【図９】従来の基本構成を説明する図である。
【符号の説明】
【００３１】
１０…小型自己保持型ソレノイド、１１…ヨーク、１４…ボビン、１５，１６…コイル（第１・第２のコイル）、１７…永久磁石、１８…可動片、１９…付勢手段、２２…二股部、２５，２６…第１・第２の巻線部、２７，２８…接続端子（第１・第２の接続端子）。
【図１】
2007287748.tif 000003
【図２】
2007287748.tif 000004
【図３】
2007287748.tif 000005
【図４】
2007287748.tif 000006
【図５】
2007287748.tif 000007
【図６】
2007287748.tif 000008
【図７】
2007287748.tif 000009
【図８】
2007287748.tif 000010
【図９】
2007287748.tif 000011